(57)【要約】【課題】描画回路を制御する制御回路への負荷を軽減することのできる電気光学表示装置の描画回路、電気光学表示装置の描画方法、電気光学表示装置及び電子機器を提供する。【解決手段】描画制御回路は、マイコンからのＣＭ−ＷＲ制御コマンドに基づいて、所定の画像を電気泳動表示パネルに表示させるための一連のコマンドからなるコマンドマクロを、描画回路内の作業メモリのコマンドマクロ領域に生成する。描画制御回路は、マイコンからのＣＭ−ＳＴＡ制御コマンドに応じて、コマンドマクロ領域に生成したコマンドマクロを実行する。【選択図】図６
2008249977.tif 000002
【特許請求の範囲】
【請求項１】
画像データに基づく画像が表示される表示部の電気光学素子を駆動する駆動回路に、前
記画像データを出力する描画回路と、前記描画回路を制御する制御回路と、を備えた電気
光学表示装置の描画装置において、
前記描画回路は、複数の画像素材データが予め格納されている第１メモリと、少なくと
も１つの前記画像素材データからなる前記画像データが生成される作業領域を有する第１
作業メモリと、所定の処理の実行を指示する指令信号が書き込まれる指令情報領域を有す
る第２作業メモリと、前記指令信号を前記指令情報領域に書き込み、複数の前記指令信号
からなる指令情報を前記指令情報領域に生成する描画制御回路と、を備え、
前記制御回路は、前記指令情報を実行させる第１制御指令信号を前記描画制御回路に出
力することを特徴とする電気光学表示装置の描画装置。
【請求項２】
前記描画制御回路は、前記制御回路から入力される第２制御指令信号に基づいて、前記
制御回路から入力される前記指令信号を前記指令情報領域に書き込むことを特徴とする請
求項１に記載の電気光学表示装置の描画装置。
【請求項３】
前記描画制御回路は、前記第２制御指令信号に基づいて、前記制御回路からの前記指令
信号を前記指令情報領域の任意の領域に書き込むことを特徴とする請求項２に記載の電気
光学表示装置の描画装置。
【請求項４】
前記第１メモリには、複数の前記指令信号が予め格納され、
前記描画制御回路は、前記制御回路から入力される第２制御指令信号に基づいて、前記
第１メモリに格納されている所定の前記指令信号を前記指令情報領域に書き込むことを特
徴とする請求項１〜３のいずれか１つに記載の電気光学表示装置の描画装置。
【請求項５】
前記描画制御回路は、前記第２制御指令信号に基づいて、前記第１メモリに格納されて
いる所定の前記指令信号を、前記指令情報領域の任意の領域に書き込むことを特徴とする
請求項４に記載の電気光学表示装置の描画装置。
【請求項６】
前記第１メモリには、予め生成された複数の前記指令情報が予め格納され、
前記描画制御回路は、前記制御回路から入力される第３制御指令信号に基づいて、前記
第１メモリに格納されている所定の前記指令情報を前記指令情報領域に書き込むことを特
徴とする請求項１〜５のいずれか１つに記載の電気光学表示装置の描画装置。
【請求項７】
前記描画制御回路は、前記第３制御指令信号に基づいて、前記第１メモリに格納されて
いる所定の前記指令情報を、前記指令情報領域の任意の領域に書き込むことを特徴とする
請求項６に記載の電気光学表示装置の描画装置。
【請求項８】
前記制御回路は、所定の画像を表示させるための全ての前記指令信号からなる前記指令
情報が前記指令情報領域に生成されてから、前記第１制御指令信号を出力することを特徴
とする請求項１〜７のいずれか１つに記載の電気光学表示装置の描画装置。
【請求項９】
前記第１作業メモリと前記第２作業メモリとが１つの作業メモリにより構成されること
を特徴とする請求項１〜８のいずれか１つに記載の電気光学表示装置の描画装置。
【請求項１０】
前記表示部は、複数の走査線と、複数のデータ線と、前記複数の走査線と前記複数のデ
ータ線との交差部に対応して設けられ、各々が電気光学素子を含む複数の画素回路からな
ることを特徴とする請求項１〜９のいずれか１つに記載の電気光学表示装置の描画装置。
【請求項１１】
前記電気光学素子は、電気泳動粒子を含む分散系であることを特徴とする請求項１〜１
０のいずれか１つに記載の電気光学表示装置の描画装置。
【請求項１２】
電気光学素子を含んで画像データに基づく画像が表示される表示部と、前記表示部を駆
動する駆動回路と、前記駆動回路に前記画像データを出力する描画回路と、前記描画回路
を制御する制御回路と、を備えた電気光学表示装置の描画方法において、
前記描画回路の描画制御回路は、所定の処理の実行を指示する指令信号を、前記描画回
路内の作業メモリの指令情報領域に書き込み、複数の前記指令信号からなる指令情報を前
記指令情報領域に生成し、
前記制御回路は、前記指令情報を実行させる第１制御指令信号を前記描画制御回路に出
力することを特徴とする電気光学表示装置の描画方法。
【請求項１３】
前記描画制御回路は、前記制御回路から入力される第２制御指令信号に基づいて、前記
制御回路から入力される前記指令信号を前記指令情報領域に書き込むことを特徴とする請
求項１２に記載の電気光学表示装置の描画方法。
【請求項１４】
前記描画制御回路は、前記第２制御指令信号に基づいて、前記制御回路から入力される
前記指令信号を前記指令情報領域の任意の領域に書き込むことを特徴とする請求項１３に
記載の電気光学表示装置の描画方法。
【請求項１５】
前記描画制御回路は、前記制御回路から入力される第３制御指令信号に基づいて、前記
描画回路内の第１メモリに予め格納されている所定の前記指令信号を前記指令情報領域に
書き込むことを特徴とする請求項１２〜１４のいずれか１つに記載の電気光学表示装置の
描画方法。
【請求項１６】
前記描画回路内の第１メモリには、複数の前記指令信号からなる複数の前記指令情報が
予め格納され、
前記描画制御回路は、前記制御回路から入力される第３制御指令信号に基づいて、前記
第１メモリに格納されている所定の前記指令情報を前記指令情報領域に書き込むことを特
徴とする請求項１２〜１５のいずれか１つに記載の電気光学表示装置の描画方法。
【請求項１７】
請求項１〜１１のいずれか１つに記載の描画装置を備えた電気光学表示装置。
【請求項１８】
請求項１７に記載の電気光学表示装置を備えた電子機器。
【発明の詳細な説明】
【技術分野】
【０００１】
本発明は、電気光学表示装置の描画回路、電気光学表示装置の描画方法、電気光学表示
装置及び電子機器に関するものである。
【背景技術】
【０００２】
従来、電気光学表示装置として、電気泳動現象を利用した電気泳動表示装置が知られて
いる（例えば、特許文献１参照）。ここで、電気泳動現象とは、液体中（分散媒）に微粒
子（電気泳動粒子）を分散させた分散系に、電界を印加したときに微粒子がクーロン力に
より泳動する現象である。
【０００３】
このような電気泳動表示装置は、一方の電極と他方の電極とを所定の間隔で対向させ、
その間に分散系を封入した分割セルを配置して構成される電気泳動表示パネルと、分散系
に電界を印加して該分散系を駆動する周辺回路を備えている。
【０００４】
電気泳動表示装置の駆動方式の一つとしてアクティブマトリクス方式が知られている。
この種の電気泳動表示装置の電気泳動表示パネル１０は、図２０に示すように、画素電極
Ｐ及びスイッチング用ＴＦＴ等を含む画素回路２０（図２１参照）がマトリクス状に形成
された素子基板２と、平面状の透明電極からなる共通電極ＣＯＭの形成された透過性材料
からなる対向基板３とから構成されている。多数の画素電極Ｐと共通電極ＣＯＭとの間に
は、電気泳動粒子５及び分散媒６を封止した多数のマイクロカプセル４が配置されている
。図２０では、電気泳動粒子５として、負に帯電した白粒子５Ｗと、正に帯電した黒粒子
５Ｂとを用いている。
【０００５】
画素電極Ｐと共通電極ＣＯＭとの電極間に電位差を与えると電界が生じ、正あるいは負
に帯電した黒粒子５Ｂあるいは白粒子５Ｗがそれぞれ対応する電位が与えられている電極
に引き寄せられる。そして、共通電極ＣＯＭ及び対向基板３側から表示画像が観察される
場合、共通電極ＣＯＭ側に引き寄せられた電気泳動粒子５の色が観察される。
【０００６】
電気泳動表示装置は、図２１に示すように、上記電気泳動表示パネル１０と、その電気
泳動表示パネル１０を駆動する駆動回路と、その駆動回路を駆動制御する描画回路５０と
、描画回路５０を制御する制御回路であるマイコン６０とを含んで構成されている。
【０００７】
このような電気泳動表示装置では、描画回路５０の描画制御回路５１は、マイコン６０
からのコマンドに基づいて、ＲＯＭ５２に予め格納されている所定の画像素材データを読
み出し、その画像素材データをＶＲＡＭ５３に書き込む。描画制御回路５１は、マイコン
６０からのコマンドに基づいて、少なくとも１つの画像素材データからなる所望の画像デ
ータＤがＶＲＡＭ５３に生成されると、その画像データＤをデータ線駆動回路１２に供給
する。また、タイミング制御回路５４は、ＶＲＡＭ５３から画像データＤが出力されると
きに、各種タイミング信号を走査線駆動回路１１及びデータ線駆動回路１２に出力する。
【０００８】
走査線駆動回路１１は、タイミング信号に基づいて、所定のタイミングで走査線Ｙを順
次選択する走査信号を各走査線Ｙに出力する。一方、データ線駆動回路１２は、入力され
る画像データＤに基づいてデータ信号を生成し、上記走査線選択に同期して、対応する画
素回路２０に上記データ信号を出力する。
【０００９】
次に、マイコン６０からのコマンドに基づき描画制御回路５１により電源電圧の電圧値
が設定されると、各画素回路２０において、上記データ信号（画像データＤ１）に応じた
駆動電圧が画素電極Ｐに印加される。このとき、マイコン６０からのコマンドに基づき描
画制御回路５１により共通電極ＣＯＭに印加される電圧が制御され、共通電極ＣＯＭに所
定電圧が印加される。これにより、画素電極Ｐと共通電極ＣＯＭとの間に電位差が生じ、
各画素回路２０毎に電気泳動粒子５が所望の電極側に移動される。その結果、画像データ
Ｄに基づく画像が電気泳動表示パネル１０に表示される。
【特許文献１】特開２００２−１１６７３３号公報
【発明の開示】
【発明が解決しようとする課題】
【００１０】
上述したように、このような電気泳動表示装置のマイコン６０は、ＶＲＡＭ５３への画
像データＤの生成、データ線駆動回路１２への画像データＤの転送、各種電圧の制御など
の各種処理を描画制御回路５１に実行させるために、対応するコマンドを描画制御回路５
１に出力する。詳述すると、マイコン６０は、所定の処理を実行させるためのコマンドを
描画制御回路５１に出力する。描画制御回路５１は、そのコマンドに基づいて所定の処理
、例えばＲＯＭ５２に格納されている所定の画像素材データをＶＲＡＭ５３に書き込む処
理を実行し、その処理が完了したときに完了信号をマイコン６０に出力する。マイコン６
０は、その完了信号が入力されてから、次の処理を実行させるためのコマンドを描画制御
回路５１に出力する。このように、この種の電気泳動表示装置では、所望の画像を表示さ
せるための各種処理がマイコン６０からのコマンドにより全て指示されている。
【００１１】
ところが、この電気泳動表示装置を、低消費電力のために処理能力の低い（例えば、４
ビットマイコンで動作周波数が３２ｋＨｚ）マイコン６０しか搭載できない電子機器（例
えば、腕時計）に適用した場合には、そのマイコン６０への負荷が大きいため、表示画像
の変更に多大な時間がかかるという問題が生じる。
【００１２】
本発明は上記問題点を解決するためになされたものであって、その目的は、描画回路を
制御する制御回路への負荷を軽減することのできる電気光学表示装置の描画回路、電気光
学表示装置の描画方法、電気光学表示装置及び電子機器を提供することにある。
【課題を解決するための手段】
【００１３】
本発明の電気光学表示装置の描画装置は、画像データに基づく画像が表示される表示部
の電気光学素子を駆動する駆動回路に、前記画像データを出力する描画回路と、前記描画
回路を制御する制御回路と、を備えた電気光学表示装置の描画装置において、前記描画回
路は、複数の画像素材データが予め格納されている第１メモリと、少なくとも１つの前記
画像素材データからなる前記画像データが生成される作業領域を有する第１作業メモリと
、所定の処理の実行を指示する指令信号が書き込まれる指令情報領域を有する第２作業メ
モリと、前記指令信号を前記指令情報領域に書き込み、複数の前記指令信号からなる指令
情報を前記指令情報領域に生成する描画制御回路と、を備え、前記制御回路は、前記指令
情報を実行させる第１制御指令信号を前記描画制御回路に出力する。
【００１４】
従来の電気光学表示装置の場合には、一つの指令信号毎に、その指令信号に基づく処理
の実行が完了したことを示す完了信号が描画制御回路から制御回路に入力される。これに
より、制御回路への負荷が大きくなってしまう。
【００１５】
これに対して、本発明の電気光学表示装置の描画装置によれば、複数の指令信号からな
る指令情報が第２作業メモリの指令情報領域に生成され、制御回路から出力される制御指
令信号に基づいてその指令情報が描画制御回路により実行される。これにより、指令情報
を構成する複数の指令信号が続けて実行される。そのため、複数の指令信号からなる一つ
の指令情報毎に、完了信号が描画制御回路から制御回路に入力されるようになる。従って
、制御回路への完了信号の入力回数が低減されるため、制御回路への負荷が軽減される。
ひいては、表示画像の変更時間を短縮することも可能となる。
【００１６】
この電気光学表示装置の描画装置において、前記描画制御回路は、前記制御回路から入
力される第２制御指令信号に基づいて、前記制御回路から入力される前記指令信号を前記
指令情報領域に書き込むようにしてもよい。
【００１７】
この電気光学表示装置の描画装置によれば、制御回路から描画制御回路に入力される指
令信号が、第２作業メモリの指令情報領域に指令情報として書き込まれる。
この電気光学表示装置の描画装置において、前記描画制御回路は、前記第２制御指令信
号に基づいて、前記制御回路からの前記指令信号を前記指令情報領域の任意の領域に書き
込むようにしてもよい。
【００１８】
この電気光学表示装置の描画装置によれば、制御回路から描画制御回路に入力される指
令信号を、第２作業メモリの指令情報領域の任意の領域に書き込むことができる。これに
より、先に指令情報領域に書き込まれている指令情報の一部を、所定の指令信号に書き換
えることができる。また、先に書き込まれた指令情報の前後に、所定の指令信号を追加で
書き込むことができる。
【００１９】
一つの指令信号毎に処理が実行される従来の場合には、所望の処理を実行するために常
に対応する全てのコマンドを制御回路から出力する必要がある。これに対して、上記構成
によれば、例えば先に書き込まれている指令情報と次に書き込まれる指令情報とで異なる
指令信号のみを制御回路から出力して、指令情報の一部を書き換えることによって、所望
の処理を実行させることができる。これにより、制御回路への負荷を大幅に低減すること
ができる。
【００２０】
この電気光学表示装置の描画装置において、前記第１メモリには、複数の前記指令信号
が予め格納され、前記描画制御回路は、前記制御回路から入力される第２制御指令信号に
基づいて、前記第１メモリに格納されている所定の前記指令信号を前記指令情報領域に書
き込むようにしてもよい。
【００２１】
この電気光学表示装置の描画装置によれば、第１メモリに複数の指令信号が予め格納さ
れる。この第１メモリに格納された指令信号が、制御回路からの第２制御指令信号に基づ
いて第２作業メモリの指令情報領域に指令情報として書き込まれる。これにより、通常、
メモリサイズが小さく指令信号が予め格納される制御回路側のメモリに格納する指令信号
を少なくすることができる。
【００２２】
この電気光学表示装置の描画装置において、前記描画制御回路は、前記第２制御指令信
号に基づいて、前記第１メモリに格納されている所定の前記指令信号を、前記指令情報領
域の任意の領域に書き込むようにしてもよい。
【００２３】
この電気光学表示装置の描画装置によれば、第１メモリに予め格納されている指令信号
を、第２制御指令信号に基づいて指令情報領域の任意の領域に書き込むことができる。こ
れにより、先に指令情報領域に書き込まれている指令情報の一部を、所定の指令信号に書
き換えることができる。また、先に書きかまれている指令情報の前後に、所定の指令信号
を追加で書き込むことができる。従って、指令情報の生成方法の自由度を向上させること
ができる。
【００２４】
この電気光学表示装置の描画装置において、前記第１メモリには、予め生成された複数
の前記指令情報が予め格納され、前記描画制御回路は、前記制御回路から入力される第３
制御指令信号に基づいて、前記第１メモリに格納されている所定の前記指令情報を前記指
令情報領域に書き込むようにしてもよい。
【００２５】
この電気光学表示装置の描画装置によれば、第１メモリに複数の指令信号からなる複数
の指令情報が予め格納される。この第１メモリに格納された指令情報が、制御回路からの
第３制御指令信号に基づいて第２作業メモリの指令情報領域に書き込まれる。これにより
、制御回路からの一つの第３制御指令信号により、指令情報領域に複数の指令信号を書き
込むことができる。従って、制御回路から描画制御回路に出力するデータ量を減らすこと
ができるため、制御回路への負荷を大幅に低減することができる。
【００２６】
この電気光学表示装置の描画装置において、前記描画制御回路は、前記第３制御指令信
号に基づいて、前記第１メモリに格納されている所定の前記指令情報を、前記指令情報領
域の任意の領域に書き込むようにしてもよい。
【００２７】
この電気光学表示装置の描画装置によれば、第１メモリに予め格納されている指令情報
を、第３制御指令信号に基づいて指令情報領域の任意の領域に書き込むことができる。従
って、指令情報の生成方法の自由度を向上させることができる。
【００２８】
この電気光学表示装置の描画装置において、前記制御回路は、所定の画像を表示させる
ための全ての前記指令信号からなる前記指令情報が前記指令情報領域に生成されてから、
前記第１制御指令信号を出力するようにしてもよい。
【００２９】
この電気光学表示装置の描画装置によれば、制御回路から第１制御指令信号が出力され
ると、所定の画像を表示させるための全ての指令信号が続けて実行される。従って、描画
制御回路において所定の画像を表示させるための処理が実行されているときに、制御回路
において他の処理を実行することも可能となる。このとき、例えば制御回路を低消費電力
モードであるスリープ状態に設定することにより、描画装置の消費電力を低減させること
も可能である。
【００３０】
この電気光学表示装置の描画装置において、前記第１作業メモリと前記第２作業メモリ
とが１つの作業メモリにより構成されるようにしてもよい。
この電気光学表示装置の描画装置によれば、１つの作業メモリに、少なくとも１つの前
記画像素材データからなる前記画像データが生成される作業領域と、所定の処理の実行を
指示する指令信号が書き込まれる指令情報領域とが備えられる。
【００３１】
この電気光学表示装置の描画装置において、前記表示部は、複数の走査線と、複数のデ
ータ線と、前記複数の走査線と前記複数のデータ線との交差部に対応して設けられ、各々
が電気光学素子を含む複数の画素回路からなるようにしてもよい。
【００３２】
この電気光学表示装置の描画装置によれば、アクティブマトリクス方式の表示部に所望
の画像を表示させるための画像データを供給することができる。
この電気光学表示装置の描画装置において、前記電気光学素子は、電気泳動粒子を含む
分散系であってもよい。
【００３３】
この電気光学表示装置の描画装置によれば、電気泳動粒子表示装置の表示部に所望の画
像を表示させるための画像データを供給することができる。
本発明の電気光学表示装置の描画方法は、電気光学素子を含んで画像データに基づく画
像が表示される表示部と、前記表示部を駆動する駆動回路と、前記駆動回路に前記画像デ
ータを出力する描画回路と、前記描画回路を制御する制御回路と、を備えた電気光学表示
装置の描画方法において、前記描画回路の描画制御回路は、所定の処理の実行を指示する
指令信号を、前記描画回路内の作業メモリの指令情報領域に書き込み、複数の前記指令信
号からなる指令情報を前記指令情報領域に生成し、前記制御回路は、前記指令情報を実行
させる第１制御指令信号を前記描画制御回路に出力する。
【００３４】
本発明の電気光学表示装置の描画方法によれば、複数の指令信号からなる指令情報が第
２作業メモリの指令情報領域に生成され、制御回路から出力される制御指令信号に基づい
てその指令情報が描画制御回路により実行される。これにより、指令情報を構成する複数
の指令信号が続けて実行される。そのため、複数の指令信号からなる一つの指令情報毎に
、完了信号が描画制御回路から制御回路に入力されるようになる。従って、制御回路への
完了信号の入力回数が低減されるため、制御回路への負荷が軽減される。ひいては、表示
画像の変更時間を短縮することも可能となる。
【００３５】
この電気光学表示装置の描画方法において、前記描画制御回路は、前記制御回路から入
力される第２制御指令信号に基づいて、前記制御回路から入力される前記指令信号を前記
指令情報領域に書き込むようにしてもよい。
【００３６】
この電気光学表示装置の描画装置によれば、制御回路から描画制御回路に入力される指
令信号が、第２作業メモリの指令情報領域に指令情報として書き込まれる。
この電気光学表示装置の描画方法において、前記描画制御回路は、前記第２制御指令信
号に基づいて、前記制御回路から入力される前記指令信号を前記指令情報領域の任意の領
域に書き込むようにしてもよい。
【００３７】
この電気光学表示装置の描画方法によれば、制御回路から描画制御回路に入力される指
令信号を、第２作業メモリの指令情報領域の任意の領域に書き込むことができる。これに
より、先に指令情報領域に書き込まれている指令情報の一部を、所定の指令信号に書き換
えることができる。また、先に書き込まれた指令情報の前後に、所定の指令信号を追加で
書き込むことができる。
【００３８】
一つの指令信号毎に処理が実行される従来の場合には、所望の処理を実行するために常
に対応する全てのコマンドを制御回路から出力する必要がある。これに対して、上記構成
によれば、例えば先に書き込まれている指令情報と次に書き込まれる指令情報とで異なる
指令信号のみを制御回路から出力して、指令情報の一部を書き換えることによって、所望
の処理を実行させることができる。これにより、制御回路への負荷を大幅に低減すること
ができる。
【００３９】
この電気光学表示装置の描画方法において、前記描画制御回路は、前記制御回路から入
力される第３制御指令信号に基づいて、前記描画回路内の第１メモリに予め格納されてい
る所定の前記指令信号を前記指令情報領域に書き込むようにしてもよい。
【００４０】
この電気光学表示装置の描画方法によれば、第１メモリに複数の指令信号が予め格納さ
れる。この第１メモリに格納された指令信号が、制御回路からの第２制御指令信号に基づ
いて第２作業メモリの指令情報領域に指令情報として書き込まれる。これにより、通常、
メモリサイズが小さく指令信号が予め格納される制御回路側のメモリに格納する指令信号
を少なくすることができる。
【００４１】
この電気光学表示装置の描画方法において、前記描画回路内の第１メモリには、複数の
前記指令信号からなる複数の前記指令情報が予め格納され、前記描画制御回路は、前記制
御回路から入力される第３制御指令信号に基づいて、前記第１メモリに格納されている所
定の前記指令情報を前記指令情報領域に書き込むようにしてもよい。
【００４２】
この電気光学表示装置の描画方法によれば、第１メモリに複数の指令信号からなる複数
の指令情報が予め格納される。この第１メモリに格納された指令情報が、制御回路からの
第３制御指令信号に基づいて第２作業メモリの指令情報領域に書き込まれる。これにより
、制御回路からの一つの第３制御指令信号により、指令情報領域に複数の指令信号を書き
込むことができる。従って、制御回路から描画制御回路に出力するデータ量を減らすこと
ができるため、制御回路への負荷を大幅に低減することができる。
【００４３】
本発明の電気泳動表示装置は、上記描画装置を備えた。
本発明の電気泳動表示装置によれば、表示画像の変更の時間が短縮される。
本発明の電子機器は、上記電気泳動表示装置を備えるあらゆる機器を含むもので、ディ
スプレイ装置、テレビジョン装置、電子ブック、電子ペーパ、時計、電卓、携帯電話、携
帯情報端末等を含む。また、「機器」という概念から外れるもの、例えば可撓性のある紙
状／フィルム状の物体、これら物体が貼り付けられた壁面等の不動産に属するもの、車両
、飛行体、船舶等の移動体に属するものを含む。
【発明を実施するための最良の形態】
【００４４】
（第１実施形態）
以下、本発明を具体化した電気泳動表示装置の第１実施形態を図１〜図１４に従って説
明する。
【００４５】
図１に示すように、電気泳動表示装置１は、先の図２０で示した電気泳動表示パネル１
０と、その電気泳動表示パネル１０を駆動する駆動回路と、その駆動回路を駆動制御する
描画回路３０と、当該電気泳動表示装置１を統括制御するマイクロコンピュータ（マイコ
ン）４０とを含んで構成されている。なお、本実施形態では、処理能力の低いマイコンが
搭載される腕時計の表示部として利用される電気泳動表示装置１に具体化して説明する。
【００４６】
電気泳動表示パネル１０は、マトリクス状に配列された画素回路２０を備えている。す
なわち、各画素回路２０は、列方向（図１において縦方向）に沿って延設された複数のデ
ータ線Ｘと、行方向（図１において横方向）に沿って延設された複数の走査線Ｙとの交差
部にそれぞれ配設されている。各画素回路２０は、図示は省略するが、スイッチング素子
、ＳＲＡＭ等からなるメモリ回路や画素電極Ｐ（図２０参照）などを備えている。なお、
本実施形態の電気泳動表示パネル１０では、データ線Ｘを２１６本、走査線Ｙを２５６本
備えており、５５２９６（２１６×２５６）個の画素回路２０を有している。すなわち、
本実施形態の電気泳動表示パネル１０の画素数は、５５２９６画素である。
【００４７】
各走査線Ｙは走査線駆動回路１１に接続され、各データ線Ｘはデータ線駆動回路１２に
接続されている。なお、これら各回路１１，１２，２０等が形成される素子基板に対向配
置される対向基板には共通電極ＣＯＭが形成され、その共通電極ＣＯＭは共通電極制御回
路１３に接続されている。
【００４８】
走査線駆動回路１１は、描画回路３０から出力される各種タイミング信号に基づいて、
所定のタイミングで走査線Ｙを順次選択する走査信号を出力する。
データ線駆動回路１２は、描画回路３０から出力される画像データ等に基づいて各デー
タ線Ｘに供給するデータ信号を生成する。データ線駆動回路１２は、描画回路３０から出
力される各種タイミング信号に基づいて、生成したデータ信号を、走査線駆動回路１１に
より選択される走査線Ｙに接続されている画素回路２０群に出力する。
【００４９】
共通電極制御回路１３は、描画回路３０から出力される制御信号に基づいて、上記共通
電極ＣＯＭに所定電圧を供給する。なお、これら走査線駆動回路１１、データ線駆動回路
１２及び共通電極制御回路１３により駆動回路が構成されている。
【００５０】
描画回路３０は、描画制御回路３１、各種画像データを格納するＲＯＭ３２、ＳＲＡＭ
からなる作業メモリ３３及び各種タイミング信号を生成するタイミング制御回路３４を含
んで構成されている。
【００５１】
描画制御回路３１は、上位制御装置であるマイコン４０と接続されている。マイコン４
０は、電気泳動表示パネル１０に、時間経過による指示や当該腕時計の使用者による指示
などに応じた表示画像を表示させるために、マイコンＲＯＭ４１に格納されている制御コ
マンド（図２参照）やコマンド（図３参照）を描画制御回路３１に出力する。
【００５２】
描画制御回路３１は、マイコン４０からのコマンドを作業メモリ３３のコマンドマクロ
領域ＣＭ（図４参照）に書き込み、該コマンドマクロ領域ＣＭに複数のコマンドからなる
コマンドマクロを生成する。ここで、作業メモリ３３は、図４に示すように、画像データ
が書き込まれるＶＲＡＭ領域ＶＲと、マイコン４０からの各種コマンドが書き込まれる上
記コマンドマクロ領域ＣＭとを含んで構成される。これらＶＲＡＭ領域ＶＲ及びコマンド
マクロ領域ＣＭの先頭アドレスは、予め所定のアドレスがそれぞれ設定され、その所定の
アドレスからそれぞれ所定のビット数（バイト数）分だけＶＲＡＭ領域ＶＲ及びコマンド
マクロ領域ＣＭとして確保されている。本実施形態では、ＶＲＡＭ領域ＶＲの先頭アドレ
スは、作業メモリ３３の先頭アドレス「００００Ｈ」に設定され、その先頭アドレスから
「５５２９６ビット（画素数と同数）」分がＶＲＡＭ領域ＶＲとして確保されている。ま
た、コマンドマクロ領域ＣＭの先頭アドレスは、「３Ｃ００Ｈ」に設定され、その先頭ア
ドレスから「８ｋビット」分がコマンドマクロ領域ＣＭとして確保されている。なお、周
知ではあるが、「Ｈ」はその値が１６進数であることを示す。
【００５３】
描画制御回路３１は、マイコン４０からの制御コマンドに基づき作業メモリ３３上のポ
インタを制御して、該作業メモリ３３に生成されたコマンドマクロを実行・停止する。詳
しくは、描画制御回路３１は、マイコン４０からＣＭ−ＳＴＡ制御コマンド（図２参照）
が入力されると、作業メモリ３３のポインタをコマンドマクロ領域ＣＭの先頭アドレス「
３Ｃ００Ｈ」に移動させて、コマンドマクロ領域ＣＭの先頭コマンドからコマンドマクロ
の実行を開始する。また、描画制御回路３１は、マイコン４０からＣＭ−ＣＬＲ制御コマ
ンドが入力されると、作業メモリ３３のポインタをコマンドマクロ領域ＣＭの先頭アドレ
ス「３Ｃ００Ｈ」に戻して、コマンドマクロの実行を停止する。描画制御回路３１は、マ
イコン４０からＣＭ−ＴＯＰ制御コマンドが入力されると、作業メモリ３３のポインタを
作業メモリ３３の先頭アドレス「００００Ｈ」に戻す。描画制御回路３１は、マイコン４
０からＣＭ−ＣＷコマンドが入力されると、作業メモリ３３のコマンドマクロ領域ＣＭの
任意の領域にコマンドを書き込む。なお、このＣＭ−ＷＲ制御コマンドには、書き込み開
始オフセットデータとライトデータとが含まれる。
【００５４】
描画制御回路３１は、コマンドマクロ領域ＣＭに書き込まれたＸＦ−ＢＧ２ＶＲコマン
ドやＸＦ−ＰＴ２ＶＲコマンド（図３参照）を読み込むと、ＲＯＭ３２に格納されている
指定アドレスの画像素材データを、ＶＲＡＭ領域ＶＲの指定領域に書き込む。ここで、Ｒ
ＯＭ３２には、図５に示すように、腕時計の表示部の背景となる画像素材データが予め書
き込まれている複数の背景ブロックＢＧ１〜ＢＧｎと、背景上に部分的に表示される時刻
等を示す画像素材データが予め書き込まれている複数のパーツブロックＰＴ１〜ＰＴｍと
が予め格納されている。この背景ブロックＢＧ１〜ＢＧｎは、「５５２９６ビット（画素
数と同数）」で構成され、パーツブロックＰＴ１〜ＰＴｍは、それぞれ所定のビット数で
構成されている。なお、ＸＦ−ＢＧ２ＶＲコマンドには、ＲＯＭ３２から所定の背景ブロ
ックＢＧを読み出すためのＲＯＭ３２における開始アドレス及びブロックサイズ（バイト
数）と、所定の背景ブロックＢＧを書き込むためのＶＲＡＭ領域ＶＲにおける開始アドレ
ス等を指定するデータが含まれている。また、ＸＦ−ＰＴ２ＶＲコマンドには、ＲＯＭ３
２から所定のパーツブロックＰＴを読み出すためのＲＯＭ３２における開始アドレス及び
ブロックサイズ（バイト数）と、所定のパーツブロックＰＴを書き込むためのＶＲＡＭ領
域ＶＲにおける開始アドレス等を指定するデータが含まれている。
【００５５】
描画制御回路３１は、コマンドマクロ領域ＣＭに書き込まれたＸＦ−ＶＲ２ＥＰコマン
ドを読み込むと、作業メモリ３３のＶＲＡＭ領域ＶＲに書き込まれた画像データＤを上記
データ線駆動回路１２に出力する。
【００５６】
描画制御回路３１は、コマンドマクロ領域ＣＭに書き込まれたＰＯＷコマンドを読み込
むと、該ＰＯＷコマンドに基づいて電源電圧の電圧値の設定等を行う。描画制御回路３１
は、コマンドマクロ領域ＣＭに書き込まれたＤＲＶコマンドを読み込むと、該ＤＲＶコマ
ンドに基づいて共通電極に印加する電圧を制御する制御信号を共通電極制御回路１３に出
力する。描画制御回路３１は、コマンドマクロの最終コマンドとして書き込まれるＬＡＳ
Ｔコマンドをコマンドマクロ領域ＣＭから読み込むと、コマンドマクロの実行を終了する
。
【００５７】
図１に示すように、タイミング制御回路３４は、作業メモリ３３からデータ線駆動回路
１２に画像データＤ等が出力されるときに、走査線駆動回路１１及びデータ線駆動回路１
２を制御するための各種タイミング信号を生成する。タイミング制御回路３４は、生成し
た各種タイミング信号を、走査線駆動回路１１及びデータ線駆動回路１２に出力する。
【００５８】
次に、作業メモリ３３のコマンドマクロ領域ＣＭにコマンドマクロを生成する方法につ
いて図６に従って説明する。ここでは、図８（ａ）に示すように白色の背景に黒色で「４
：２０」という文字が形成される画像Ｂ１を電気泳動表示パネル１０に表示する場合のコ
マンドマクロの生成方法について説明する。なお、説明の便宜上、図９に示すように、Ｒ
ＯＭ３２に格納されている第１背景ブロックＢＧ１を白色の背景（図９（ａ）参照）とし
、第１パーツブロックＰＴ１を黒色文字「４」（図９（ｂ）参照）とし、第２パーツブロ
ックＰＴ２が黒色文字「：」（図９（ｃ）参照）とする。また、ＲＯＭ３２に格納されて
いる第３パーツブロックＰＴ３を黒色文字「２」（図９（ｄ）参照）とし、第４パーツブ
ロックＰＴ４を黒色文字「０」（図９（ｅ）参照）とする。
【００５９】
図６に示すように、まずマイコン４０は、マイコンＲＯＭ４１に格納されているＣＭ−
ＣＬＲ制御コマンドを描画制御回路３１に出力する。描画制御回路３１は、ＣＭ−ＣＬＲ
制御コマンドに基づいて、作業メモリ３３のポインタをコマンドマクロ領域ＣＭの先頭ア
ドレス「３Ｃ００Ｈ」に移動させる（ステップＳ１）。これにより、作業メモリ３３のコ
マンドマクロ領域ＣＭの先頭アドレスから各種コマンドを書き込むことができるようにな
る。
【００６０】
次に、マイコン４０は、画像Ｂ１を表示させるための複数のコマンドがライトデータと
して含まれるＣＭ−ＷＲ制御コマンドを生成し、そのＣＭ−ＷＲ制御コマンドを描画制御
回路３１に出力する（ステップＳ２）。描画制御回路３１は、ＣＭ−ＷＲ制御コマンド内
の書き込み開始オフセットデータに基づいて、作業メモリ３３のポインタを書き込み開始
アドレスに移動させる（ステップＳ３）。ここで、書き込み開始オフセットデータとして
は、コマンドマクロ領域ＣＭにおける書き込み開始アドレスを、現在の作業メモリ３３の
ポインタのアドレス（ここでは、「３Ｃ００Ｈ」）からの相対アドレスとして指定する。
なお、本例では、現在の作業メモリ３３のポインタがそのまま書き込み開始アドレスにな
るため、相対アドレス（書き込み開始オフセットデータ）が「０」に設定されている。
【００６１】
次に、描画制御回路３１は、作業メモリ３３のポインタが指すアドレス、すなわち作業
メモリ３３のコマンドマクロ領域ＣＭの先頭アドレス「３Ｃ００Ｈ」から、ＣＭ−ＷＲ制
御コマンドに含まれるライトデータを書き込む（ステップＳ４〜ステップＳ１０）。なお
、本例では、以下に説明する順番で複数のコマンドがライトデータとして描画制御回路３
１に入力され、該描画制御回路３１を介してそれら複数のコマンドが順番に作業メモリ３
３のコマンドマクロ領域ＣＭに書き込まれる。
【００６２】
すなわち、はじめに、ＲＯＭ３２内の所定の背景ブロック（ここでは、第１背景ブロッ
クＢＧ１）を作業メモリ３３のＶＲＡＭ領域ＶＲにコピーするためのＸＦ−ＢＧ２ＶＲ（
ＢＧ１）コマンドがライトデータとして描画制御回路３１に入力される。描画制御回路３
１は、作業メモリ３３のコマンドマクロ領域ＣＭの先頭アドレス「３Ｃ００Ｈ」から、そ
のＸＦ−ＢＧ２ＶＲ（ＢＧ１）コマンドを書き込む（ステップＳ４）。
【００６３】
続いて、ＲＯＭ３２内の所定のパーツブロックを作業メモリ３３のＶＲＡＭ領域ＶＲに
コピーするためのＸＦ−ＰＴ２ＶＲコマンドが順次ライトデータとして描画制御回路３１
に入力される。描画制御回路３１は、それらＸＦ−ＰＴ２ＶＲコマンドを順に作業メモリ
３３のコマンドマクロ領域ＣＭに書き込む（ステップＳ５）。本例では、図７に示すよう
に、コマンドマクロ領域ＣＭにおいて上記ＸＦ−ＢＧ２ＶＲ（ＢＧ１）コマンドが書き込
まれたアドレスの次のアドレスから、第１パーツブロックＰＴ１をコピーするためのＸＦ
−ＰＴ２ＶＲ（ＰＴ１）コマンドが書き込まれる。次に、コマンドマクロ領域ＣＭにおい
てＸＦ−ＰＴ２ＶＲ（ＰＴ１）コマンドが書き込まれたアドレスの次のアドレスから、第
２パーツブロックＰＴ２をコピーするためのＸＦ−ＰＴ２ＶＲ（ＰＴ２）コマンドが書き
込まれる。同様に、第３パーツブロックＰＴ３をコピーするためのＸＦ−ＰＴ２ＶＲ（Ｐ
Ｔ３）コマンドと、第４パーツブロックＰＴ４をコピーするためのＸＦ−ＰＴ２ＶＲ（Ｐ
Ｔ４）コマンドとが順にコマンドマクロ領域ＣＭに書き込まれる。
【００６４】
続いて、図６に示すステップＳ６〜Ｓ１０において、ＰＯＷコマンド、ＸＦ−ＶＲ２Ｅ
Ｐコマンド、ＰＯＷコマンド、ＤＲＶコマンド及びＬＡＳＴコマンドが順にライトデータ
として描画制御回路３１に入力される。描画制御回路３１は、それら各コマンドを順にコ
マンドマクロ領域ＣＭに書き込む。これにより、図７に示すように、作業メモリ３３のコ
マンドマクロ領域ＣＭに、複数のコマンドからなる一つのコマンドマクロＭ１が生成され
る。
【００６５】
なお、作業メモリ３３のポインタは、マイコン４０からのライトデータ（複数のコマン
ド）が書き込まれた後に、該ライトデータの書き込まれた最後のアドレスの次のアドレス
を指すようになっている。また、本実施形態では、ライトデータの終端を指定するために
、ライトデータの書き込みが終了すると、マイコン４０から描画制御回路３１へのコマン
ド等の転送を許可するＣＳ信号（図１２参照）がインアクティブ（Ｌレベル）に遷移する
ように設定している。
【００６６】
次に、上述のように生成されたコマンドマクロＭ１を実行して、電気泳動表示パネル１
０に画像Ｂ１を表示する方法について図１０に従って説明する。
図１０に示すように、まずマイコン４０は、マイコンＲＯＭ４１に格納されているＣＭ
−ＳＴＡ制御コマンドを描画制御回路３１に出力する。描画制御回路３１は、ＣＭ−ＳＴ
Ａ制御コマンドに基づいて、作業メモリ３３のポインタをコマンドマクロ領域ＣＭ（ＸＦ
−ＢＧ２ＶＲ（ＢＧ１）コマンド）の先頭アドレス「３Ｃ００Ｈ」に移動させて、コマン
ドマクロＭ１の実行が開始される（ステップＳ１１）。
【００６７】
コマンドマクロＭ１の実行が開始されると、まず描画制御回路３１は、作業メモリ３３
のコマンドマクロ領域ＣＭの先頭アドレスに書き込まれたＸＦ−ＢＧ２ＶＲ（ＢＧ１）コ
マンドを読み込む（ステップＳ１２）。次に、描画制御回路３１は、読み込んだＸＦ−Ｂ
Ｇ２ＶＲコマンドに基づいて、ＲＯＭ３２における所定の背景ブロックＢＧ（ここでは、
第１背景ブロックＢＧ１）の先頭アドレスを読み出し開始アドレスとして指定する（ステ
ップＳ１３）。
【００６８】
次に、描画制御回路３１は、ＸＦ−ＢＧ２ＶＲ（ＢＧ１）コマンドに基づいて、ＲＯＭ
３２から読み出す第１背景ブロックＢＧ１のサイズを、読み出しブロックサイズとしてバ
イト数で指定する（ステップＳ１４）。ここでは、描画制御回路３１は、第１背景ブロッ
クＢＧ１が５５２９６ビットで構成されるため、読み出しブロックサイズを６９１２（＝
５５２９６／８）バイトに指定する。
【００６９】
続いて、描画制御回路３１は、ＸＦ−ＢＧ２ＶＲ（ＢＧ１）コマンドに基づいて、ＲＯ
Ｍ３２から読み出す第１背景ブロックＢＧ１を書き込むための作業メモリ３３の書き込み
開始アドレスを指定する（ステップＳ１５）。ここでは、描画制御回路３１は、ＶＲＡＭ
領域ＶＲの先頭アドレス「００００Ｈ」を書き込み開始アドレスとして指定する。
【００７０】
これらの指定が完了すると、描画制御回路３１は、ＲＯＭ３２における読み出し開始ア
ドレスから読み出しブロックサイズ分の画像データを、作業メモリ３３におけるＶＲＡＭ
領域ＶＲの書き込み開始アドレスから読み出しブロックサイズ分の領域にコピーする（ス
テップＳ１６）。すなわち、ここでは描画制御回路３１は、ＲＯＭ３２に格納されている
第１背景ブロックＢＧ１を読み出し、読み出した第１背景ブロックＢＧ１を作業メモリ３
３のＶＲＡＭ領域ＶＲに書き込む。
【００７１】
なお、この第１背景ブロックＢＧ１が画像データＤとしてデータ線駆動回路１２に出力
される場合には、画像データＤ（第１背景ブロックＢＧ１）のビット０〜ビット５５２９
５は、図１１（ａ）に示すように電気泳動表示パネル１０の各画素に転送される。すなわ
ち、画像データＤのビット０はデータ線Ｘ０と走査線Ｙ０とに接続された画素（０，０）
に転送され、ビット１〜ビット２１５は上記画素（０，０）から行方向（左方向）に向か
って順に各画素に転送される。また、画像データＤのビット２１６はデータ線Ｘ０と走査
線Ｙ１とに接続された画素（０，１）に転送され、画像データＤのビット２１７〜ビット
４３１は上記画素（０，１）から左方向に向かって順に各画素に転送される。同様に、画
像データのビット４３１〜ビット５５２９５が各画素に転送される。
【００７２】
次に、描画制御回路３１は、作業メモリ３３のコマンドマクロ領域ＣＭに書き込まれた
ＸＦ−ＰＴ２ＶＲコマンド（ここでは、ＸＦ−ＰＴ２ＶＲ（ＰＴ１）コマンド）を読み込
む（ステップＳ１８）。次に、描画制御回路３１は、読み込んだＸＦ−ＰＴ２ＶＲ（ＰＴ
１）コマンドに基づいて、ＲＯＭ３２における第１パーツブロックＰＴ１の先頭アドレス
を読み出し開始アドレスとして指定する。
【００７３】
続いて、描画制御回路３１は、ＸＦ−ＰＴ２ＶＲ（ＰＴ１）コマンドに基づいて、ＲＯ
Ｍ３２から読み出す第１パーツブロックＰＴ１を書き込むための作業メモリ３３の書き込
み開始ビットアドレスを指定する（ステップＳ１９）。詳しくは、描画制御回路３１は、
第１パーツブロックＰＴ１のビット０が転送後に配置される画素アドレス（Ｘ，Ｙ）に対
応するＶＲＡＭ領域ＶＲのビットアドレスを、書き込み開始ビットアドレスとして指定す
る。ここでは、図１１（ｂ）に示すように、第１パーツブロックＰＴ１のビット０を転送
後に電気泳動表示パネル１０の画素（１６７，６３）に配置したいため、描画制御回路３
１は、この画素（１６７，６３）に対応するＶＲＡＭ領域ＶＲのビットアドレスを書き込
み開始ビットアドレスに指定する。
【００７４】
次に、描画制御回路３１は、ＸＦ−ＰＴ２ＶＲ（ＰＴ１）コマンドに基づいて、ＲＯＭ
３２から読み出す第１パーツブロックＰＴ１のサイズを、読み出しブロックサイズとして
バイト数で指定する（ステップＳ２０）。ここでは、描画制御回路３１は、第１パーツブ
ロックＰＴ１が５１２ビットで構成されるため、読み出しブロックサイズを６４（＝５１
２／８）バイトに指定する。
【００７５】
続いて、描画制御回路３１は、ＸＦ−ＰＴ２ＶＲ（ＰＴ１）コマンドに基づいて、電気
泳動表示パネル１０に転送後の第１パーツブロックＰＴ１の行方向における画素数をバイ
ト数で指定する（ステップＳ２１）。ここでは、図１１（ｂ）に示すように、第１パーツ
ブロックＰＴ１の行方向における画素数が３２ビットであるため、描画制御回路３１は、
行方向の画素数を４バイトに指定する。
【００７６】
これらの指定が完了すると、描画制御回路３１は、ＲＯＭ３２に格納されている第１パ
ーツブロックＰＴ１を、画素（１６７，６３）に対応するＶＲＡＭ領域ＶＲのビットアド
レスから指定の行方向の画素数及び読み出しブロックサイズ分の領域にコピーする（ステ
ップＳ２２）。
【００７７】
これらステップＳ１７〜Ｓ２２により実行されるパーツブロックＰＴのコピーは、コマ
ンドマクロＭ１内のＸＦ−ＰＴ２ＶＲコマンドの個数（Ｎ）分だけ繰り返される。なお、
コマンドマクロＭ１の場合には、上記ＸＦ−ＰＴ２ＶＲ（ＰＴ１）コマンドの他に、ＸＦ
−ＰＴ２ＶＲ（ＰＴ２）コマンド、ＸＦ−ＰＴ２ＶＲ（ＰＴ３）コマンド及びＸＦ−ＰＴ
２ＶＲ（ＰＴ４）コマンドを有しているため、ステップＳ１７〜Ｓ２２が合計４回繰り返
される。これらパーツブロックＰＴ１〜ＰＴ４がＶＲＡＭ領域ＶＲの所望の領域にコピー
されると、上記画像Ｂ１（図８（ａ）参照）を形成させるための画像データＤ１がＶＲＡ
Ｍ領域ＶＲに生成される。
【００７８】
次に、図１０に示すステップＳ２３において、描画制御回路３１は、作業メモリ３３の
コマンドマクロ領域ＣＭに書き込まれたＰＯＷコマンドを読み込み、該ＰＯＷコマンドに
基づいて各画素回路２０に供給される電源電圧を低電圧レベルに設定する。描画制御回路
３１は、電源電圧を低電圧レベルに設定した上で、コマンドマクロ領域ＣＭに書き込まれ
たＸＦ−ＶＲ２ＥＰコマンドを読み込む（ステップＳ２４）。次に、描画制御回路３１は
、そのＸＦ−ＶＲ２ＥＰコマンドに基づいて、作業メモリ３３のＶＲＡＭ領域ＶＲに生成
された画像データＤ１をデータ線駆動回路１２に出力させるように制御する。このとき、
タイミング制御回路３４から走査線駆動回路１１及びデータ線駆動回路１２に各種タイミ
ング信号が出力される。データ線駆動回路１２は、作業メモリ３３から入力される画像デ
ータＤ１に基づいてデータ信号を生成し、生成したデータ信号を、走査線駆動回路１１に
より選択されている走査線Ｙに接続されている画素回路２０群に出力する。これにより、
各画素回路２０に備えられたメモリ回路にデータ信号が低電圧レベルで書き込まれる。
【００７９】
続いて、描画制御回路３１は、コマンドマクロ領域ＣＭのＰＯＷコマンドを読み込み、
該ＰＯＷコマンドに基づいて各画素回路２０に供給される電源電圧を高電圧レベルに設定
する（ステップＳ２５）。次いで、描画制御回路３１は、コマンドマクロ領域ＣＭのＤＲ
Ｖコマンドを読み込み、該ＤＲＶコマンドに基づいて共通電極ＣＯＭに印加する電圧を制
御する制御信号を共通電極制御回路１３に出力する（ステップＳ２６）。これによって、
全ての画素回路２０内の画素電極Ｐと共通電極ＣＯＭとの間に電位差が生じ、各画素毎に
電気泳動粒子が所望の電極側に移動される。その結果、画像データＤ１に基づく画像Ｂ１
が電気泳動表示パネル１０に表示される。
【００８０】
そして、描画制御回路３１は、コマンドマクロ領域ＣＭのＬＡＳＴコマンドを読み込ん
で、コマンドマクロＭ１を終了する。描画制御回路３１は、ＬＡＳＴコマンドに基づいて
、各種コマンドに基づく処理が完了したことを示す完了信号をマイコン４０に出力する。
【００８１】
なお、図１２（ａ）に示すように、描画制御回路３１は、コマンドマクロＭ１実行中に
、マイコン４０に対してコマンドマクロＭ１が実行されていることを示すビジー信号をア
クティブ（Ｈレベル）にする。このようにビジー信号がアクティブのときには、例えばマ
イコン４０からのコマンドの転送が不能となる。すなわち、マイコン４０は、ビジー信号
がインアクティブ（Ｌレベル）に遷移したときに、描画制御回路３１に新たなコマンドを
転送する。なお、このビジー信号は、上記ＬＡＳＴコマンドが実行されると、インアクテ
ィブに遷移されるようになっている。また、描画制御回路３１は、コマンドマクロＭ１の
実行中にエラーが検出されると、図１２（ｂ）に示すように、上記ビジー信号をインアク
ティブに遷移させるとともに、エラー信号をアクティブ（Ｈレベル）に遷移させる。なお
、アクティブになったエラー信号は、次のコマンドを実行するときにクリアされてインア
クティブ（Ｌレベル）に遷移する。
【００８２】
次に、コマンドマクロＭ１の一部のコマンドを修正する方法について説明する。ここで
は、画像Ｂ１から、図８（ｂ）に示すように白色の背景に黒色で「４：２１」という文字
が形成される画像Ｂ２に表示変更する場合のコマンドマクロの修正方法について説明する
。なお、この画像Ｂ１から画像Ｂ２への表示変更は、画像Ｂ１が表示されてから１分後に
実行される。そのため、以下に説明するコマンドマクロの修正は、上記表示変更の実行の
前に行われる。また、説明の便宜上、図９（ｆ）に示すように、ＲＯＭ３２に格納されて
いる第５パーツブロックＰＴ５を黒色文字「１」とする。
【００８３】
図８に示す画像Ｂ１と画像Ｂ２とを比較して明らかなように、画像Ｂ１と画像Ｂ２とは
、「０」と「１」という黒文字のみが異なり、他の画像については同一である。そこで、
本実施形態では、上述のように生成したコマンドマクロＭ１のうち、「０」という黒文字
に対応する第４パーツブロックＰＴ４を作業メモリ３３にコピーするためのＸＦ−ＰＴ２
ＶＲ（ＰＴ４）コマンドを、「１」という黒文字に対応する第５パーツブロックＰＴ５を
作業メモリ３３にコピーするためのＸＦ−ＰＴ２ＶＲ（ＰＴ５）コマンドに修正する。
【００８４】
詳しくは、図１３に示すように、まずマイコン４０は、マイコンＲＯＭ４１に格納され
ているＣＭ−ＣＬＲ制御コマンドを描画制御回路３１に出力する。描画制御回路３１は、
ＣＭ−ＣＬＲ制御コマンドに基づいて、作業メモリ３３のポインタをコマンドマクロ領域
ＣＭの先頭アドレス「３Ｃ００Ｈ」に移動させる（ステップＳ３１）。
【００８５】
次に、マイコン４０は、第５パーツブロックＰＴ５（図９（ｆ）参照）を作業メモリ３
３のＶＲＡＭ領域ＶＲにコピーするためのＸＦ−ＰＴ２ＶＲ（ＰＴ５）コマンドをライト
データとして含むＣＭ−ＷＲ制御コマンドを生成し、そのＣＭ−ＷＲ制御コマンドを描画
制御回路３１に出力する（ステップＳ３２）。描画制御回路３１は、ＣＭ−ＷＲ制御コマ
ンド内の書き込み開始オフセットデータに基づいて、作業メモリ３３のポインタをＸＦ−
ＰＴ２ＶＲ（ＰＴ４）コマンドが書き込まれたコマンドマクロ領域ＣＭの先頭アドレスに
移動させる。
【００８６】
次に、描画制御回路３１は、作業メモリ３３のポインタが指すアドレスから、ＣＭ−Ｗ
Ｒ制御コマンドに含まれる所定のコマンド（ここでは、ＸＦ−ＰＴ２ＶＲ（ＰＴ５）コマ
ンド）からなるライトデータを書き込む（ステップＳ３４）。本例では、描画制御回路３
１は、図１４に示すように、作業メモリ３３のコマンドマクロ領域ＣＭのＸＦ−ＰＴ２Ｖ
Ｒ（ＰＴ４）コマンドが書き込まれていた領域に、ＸＦ−ＰＴ２ＶＲ（ＰＴ５）コマンド
を上書きする。これにより、作業メモリ３３のコマンドマクロ領域ＣＭにおいて、コマン
ドマクロＭ１とは構成の異なるコマンドマクロＭ２が生成される。なお、コマンドマクロ
Ｍ１内の複数のコマンドを修正する場合においても同様に、ステップＳ３０〜Ｓ３３を複
数回繰り返し実行して新たなコマンドマクロを生成すればよい。
【００８７】
そして、図１０のフローチャートに従ってコマンドマクロＭ２を実行することにより、
上記画像Ｂ２（図８（ｂ）参照）を形成させるための画像データＤ２がＶＲＡＭ領域ＶＲ
に生成され、その画像データＤ２に基づいて電気泳動表示パネル１０に画像Ｂ２が表示さ
れる。
【００８８】
以上説明した本実施形態によれば、以下の効果を奏することができる。
（１）本実施形態によれば、描画制御回路３１は、マイコン４０からのＣＭ−ＷＲ制御
コマンドに応じて複数のコマンドからなるコマンドマクロＭ１を作業メモリ３３のコマン
ドマクロ領域ＣＭに生成するとともに、マイコン４０からの第１制御指令信号としてのＣ
Ｍ−ＳＴＡ制御コマンドに応じてコマンドマクロＭ１を実行するようにした。
【００８９】
従来の電気泳動表示装置のマイコン６０は、所定のコマンドを描画制御回路３１に出力
する。描画制御回路５１は、所定のコマンドに基づく処理を実行した後、その処理の完了
を示す完了信号をマイコン６０に出力する。マイコン６０は、その完了信号が入力される
と、次のコマンドを描画制御回路５１に出力する。すなわち、従来のマイコン６０では、
例えば上記コマンドマクロＭ１を構成する全てのコマンド（１０種類のコマンド）に基づ
く処理を実行するためには、１０つの完了信号を描画制御回路５１から受け取る必要があ
った。
【００９０】
これに対して、本実施形態の場合には、コマンドマクロＭ１を構成する全てのコマンド
が続けて実行される。従って、マイコン４０は、コマンドマクロＭ１に基づく全ての処理
を実行するために、コマンドマクロＭ１が完了したことを示す１つの完了信号を受け取る
だけでよい。従って、マイコン４０への完了信号の入力回数が低減されるため、マイコン
４０への負荷が軽減される。ひいては、画像の変更時間を短縮することも可能となる。
【００９１】
（２）本実施形態によれば、描画制御回路３１は、コマンドマクロＭ１を構成する全て
のコマンドに基づく処理を続けて実行するようにした。これにより、コマンドに基づく処
理が終了するたびに次のコマンドが出力される従来の場合に比べて、所定のコマンドに基
づく処理の実行と次のコマンドに基づく処理の実行との間隔が短縮される。例えばＸＦ−
ＢＧ２ＶＲ（ＢＧ１）に基づく処理の実行とＸＦ−ＰＴ２ＶＲ（ＰＴ１）に基づく処理の
実行との間隔が短縮される。その結果、画像データＤ１の生成や該画像データＤ１に基づ
く画像Ｂ１の表示をスムーズに行うことができる。
【００９２】
（３）本実施形態によれば、例えば画像データＤ１に基づく画像Ｂ１を電気泳動表示パ
ネル１０に表示させるための一連のコマンドからなるコマンドマクロＭ１をコマンドマク
ロ領域ＣＭに生成し、そのコマンドマクロＭ１の実行を開始させるＣＭ−ＳＴＡ制御コマ
ンドをマイコン４０から出力するようにした。これにより、マイコン４０からＣＭ−ＳＴ
Ａ制御コマンドが出力されると、画像Ｂ１を表示させるための全てのコマンドが続けて実
行される。従って、描画制御回路３１において画像Ｂ１を表示させるための各種処理が実
行されているときに、マイコン４０において他の処理を実行することも可能となる。この
とき、例えばマイコン４０を低消費電力モードであるスリープ状態に設定することにより
、電気泳動表示装置１の消費電力を低減させることもできる。
【００９３】
（４）本実施形態によれば、描画制御回路３１は、第２制御指令信号としてのＣＭ−Ｗ
Ｒ制御コマンドに基づいて、所定のコマンドをコマンドマクロ領域ＣＭの任意の領域に書
き込むようにした。本例では、先に書き込まれているコマンドマクロＭ１のＸＦ−ＰＴ２
ＶＲ（ＰＴ４）コマンドをＸＦ−ＰＴ２ＶＲ（ＰＴ５）コマンドに書き換えることにより
、コマンドマクロＭ２を生成するようにした。従って、マイコン４０からコマンドマクロ
を構成する一部のコマンドを出力するのみによって、新たなコマンドマクロを生成するこ
とができ、画像の表示変更を行うことができる。その結果、マイコン４０への負荷を大幅
に低減することができる。なお、コマンドに基づく処理が終了するたびに次のコマンドが
出力される従来の場合には、例えば画像Ｂ１から画像Ｂ２に表示変更するときに、コマン
ドマクロＭ２を構成する全てのコマンドをマイコン６０から出力する必要があった。
【００９４】
（第２実施形態）
以下、本発明を具体化した電気泳動表示装置の第２実施形態を図１５〜図１９に従って
説明する。この実施形態の電気泳動表示装置は、マイコンＲＯＭ４１に格納される制御コ
マンドの種類及びＲＯＭ３２のメモリ構造が上記第１実施形態と異なっている。以下、第
１実施形態との相違点を中心に説明する。なお、この実施形態の電気泳動表示装置は、図
１に示す第１実施形態の電気泳動表示装置１と略同様の構成を備えている。
【００９５】
図１５に示すように、描画回路３０内のＲＯＭ３２は、複数の背景ブロックＢＧ１〜Ｂ
Ｇｎ及び複数のパーツブロックＰＴ１〜ＰＴｍと、上記第１実施形態で説明したような複
数のコマンドからなるコマンドマクロ（例えば、コマンドマクロＭ１，Ｍ２）を複数個格
納するコマンドマクロブロックＣＭＢとを含んで構成されている。
【００９６】
本実施形態で新たに追加されたコマンドマクロブロックＣＭＢには、様々な画像を電気
泳動表示パネル１０に表示させるための多数のコマンドマクロが予め生成されて格納され
ている。また、このコマンドマクロブロックＣＭＢには、コマンドマクロＭ１，Ｍ２のよ
うに所望の画像を表示させるための全てのコマンドを含むコマンドマクロの他に、それら
コマンドマクロを複数個に分割したコマンドマクロ（分割コマンドマクロ）が格納されて
いる。ここでは、図１６に示すように、コマンドマクロＭ１を２個に分割した分割コマン
ドマクロＭ１１及び分割コマンドマクロＭ１２がコマンドマクロブロックＣＭＢに格納さ
れている。なお、これら分割コマンドマクロＭ１１，Ｍ１２には、コマンドマクロＭ１内
のＸＦ−ＰＴ２ＶＲ（ＰＴ４）コマンドが含まれていない。ここで、分割コマンドマクロ
Ｍ１１，Ｍ１２において省略したＸＦ−ＰＴ２ＶＲ（ＰＴ４）コマンドは、例えば時間の
経過に応じて頻繁に変更されるデータ（画像データや電圧データ）に対応するコマンドで
ある。このようなＸＦ−ＰＴ２ＶＲ（ＰＴ４）コマンドやＸＦ−ＰＴ２ＶＲ（ＰＴ５）コ
マンドは、マイコンＲＯＭ４１に格納されるようになっている。
【００９７】
また、図１７に示すように、マイコンＲＯＭ４１には、上記第１実施形態において説明
した４つの制御コマンドに加えて、ＣＭ−ＲＯ２ＶＲ制御コマンドが格納されている。こ
のＣＭ−ＲＯ２ＶＲ制御コマンドは、ＲＯＭ３２のコマンドマクロブロックＣＭＢに格納
されている任意のコマンドマクロを、作業メモリ３３のコマンドマクロ領域ＣＭの任意の
領域にコピーするためのコマンドである。このＣＭ−ＲＯ２ＶＲ制御コマンドには、ＲＯ
Ｍ３２における読み出し開始アドレスと、ＲＯＭ３２から読み出すコマンドマクロのブロ
ックサイズとが含まれている。
【００９８】
次に、ＣＭ−ＲＯ２ＶＲ制御コマンドを利用したコマンドマクロの生成方法について図
１８に従って説明する。ここでは、上記第１実施形態と同様に、電気泳動表示パネル１０
に画像Ｂ１を表示させる場合について説明する。
【００９９】
図１８に示すように、まずマイコン４０は、マイコンＲＯＭ４１に格納されているＣＭ
−ＣＬＲ制御コマンドを描画制御回路３１に出力する。描画制御回路３１は、ＣＭ−ＣＬ
Ｒ制御コマンドに基づいて、作業メモリ３３のポインタをコマンドマクロ領域ＣＭの先頭
アドレス「３Ｃ００Ｈ」に移動させる（ステップＳ４１）。
【０１００】
次に、マイコン４０は、ＲＯＭ３２のコマンドマクロＭ１を作業メモリ３３のコマンド
マクロ領域ＣＭにコピーするためのＣＭ−ＲＯ２ＶＲ（Ｍ１）制御コマンドを生成し、そ
のＣＭ−ＲＯ２ＶＲ（Ｍ１）制御コマンドを描画制御回路３１に出力する（ステップＳ４
２）。
【０１０１】
描画制御回路３１は、ＣＭ−ＲＯ２ＶＲ（Ｍ１）制御コマンドに基づいて、ＲＯＭ３２
のコマンドマクロブロックＣＭＢに格納されているコマンドマクロＭ１の先頭アドレスを
読み出し開始アドレスとして指定する（ステップＳ４３）。次に、描画制御回路３１は、
ＣＭ−ＲＯ２ＶＲ（Ｍ１）制御コマンドのサイズを、読み出しブロックサイズとしてバイ
ト数で指定する（ステップＳ４４）。
【０１０２】
これらの指定が完了すると、描画制御回路３１は、ステップＳ４５において、ＲＯＭ３
２の読み出し開始アドレスから読み出しサイズブロック分のコマンドマクロ（ここでは、
コマンドマクロＭ１）を、作業メモリ３３のポインタが指すアドレス（ここでは、「３Ｃ
００Ｈ」）から読み出しサイズブロック分の領域に書き込む（ステップＳ４５）。これに
より、作業メモリ３３のコマンドマクロ領域ＣＭに、画像Ｂ１を電気泳動表示パネル１０
に表示させるためのコマンドマクロＭ１が書き込まれる。なお、作業メモリ３３のコマン
ドマクロ領域ＣＭに複数のコマンドマクロ（分割コマンドマクロ等）を書き込んで一つの
コマンドマクロを生成する場合には、ステップＳ４２〜ステップＳ４５を複数回繰り返し
実行すればよい。
【０１０３】
そして、図１０のフローチャートに従ってコマンドマクロＭ１を実行することにより、
画像Ｂ１（図８（ａ）参照）を形成させるための画像データＤ１がＶＲＡＭ領域ＶＲに生
成され、その画像データＤ１に基づいて電気泳動表示パネル１０に画像Ｂ１が表示される
。
【０１０４】
次に、ＣＭ−ＲＯ２ＶＲ制御コマンド及びＣＭ−ＷＲ制御コマンドを併用したコマンド
マクロの生成方法について図１９に従って説明する。ここでも、上記第１実施形態と同様
に、電気泳動表示パネル１０に画像Ｂ１を表示させる場合について説明する。
【０１０５】
図１９に示すように、まず、ステップＳ５１〜ステップＳ５３において先の図１８のス
テップＳ４１〜ステップＳ４５と同様の処理が行われ、ＲＯＭ３２のコマンドマクロブロ
ックＣＭＢから作業メモリ３３のコマンドマクロ領域ＣＭに所定のコマンドマクロがコピ
ーされる。本例では、ステップＳ５１〜ステップＳ５３の実行により、コマンドマクロブ
ロックＣＭＢの分割コマンドマクロＭ１１がコマンドマクロ領域ＣＭに書き込まれる。
【０１０６】
次に、マイコン４０は、第４パーツブロックＰＴ４（図９（ｅ）参照）を作業メモリ３
３のＶＲＡＭ領域ＶＲに書き込むためのＸＦ−ＰＴ２ＶＲ（ＰＴ４）コマンドをライトデ
ータとして含むＣＭ−ＷＲ制御コマンドを生成し、そのＣＭ−ＷＲ制御コマンドを描画制
御回路３１に出力する（ステップＳ５４）。なお、ＣＭ−ＷＲ制御コマンド内の書き込み
開始オフセットデータは、その相対アドレスが「０」に設定されている。従って、描画制
御回路３１は、作業メモリ３３のポインタを移動させない。
【０１０７】
次に、描画制御回路３１は、作業メモリ３３のポインタが指すアドレスから、ＣＭ−Ｗ
Ｒ制御コマンドに含まれるＸＦ−ＰＴ２ＶＲ（ＰＴ４）コマンドを書き込む（ステップＳ
５５）。すなわち、作業メモリ３３のコマンドマクロ領域ＣＭにおいて先に書き込まれた
分割コマンドマクロＭ１１の後に、ＸＦ−ＰＴ２ＶＲ（ＰＴ４）コマンドが書き込まれる
。
【０１０８】
続いて、作業メモリ３３のコマンドマクロ領域ＣＭにおける上記ＸＦ−ＰＴ２ＶＲ（Ｐ
Ｔ４）コマンドの後に分割コマンドマクロＭ１２を書き込むように、ステップＳ５２及び
ステップＳ５３を実行する。これにより、分割コマンドマクロＭ１２が作業メモリ３３の
コマンドマクロ領域ＣＭに書き込まれると、該コマンドマクロ領域ＣＭに図７に示すコマ
ンドマクロＭ１が生成される。
【０１０９】
なお、図１８及び図１９のいずれの方法で作業メモリ３３のコマンドマクロ領域ＣＭに
コマンドマクロＭ１が生成されても、上記第１実施形態における図１３に示した修正方法
と同様に、ＣＭ−ＷＲ制御コマンドを利用することにより、そのコマンドマクロＭ１の一
部のコマンドを修正することが可能である。すなわち、例えばＸＦ−ＰＴ２ＶＲ（ＰＴ４
）コマンドをＸＦ−ＰＴ２ＶＲ（ＰＴ５）コマンドに修正するためのＣＭ−ＷＲ（ＰＴ５
）制御コマンドをマイコン４０から描画制御回路３１に出力することにより、コマンドマ
クロ領域ＣＭ内のコマンドマクロＭ１をコマンドマクロＭ２に変更することができる。
【０１１０】
以上、説明した実施形態によれば、第１実施形態の（１）〜（４）の作用効果に加えて
以下の効果を奏する。
（５）本実施形態によれば、ＲＯＭ３２に複数のコマンドからなる複数のコマンドマク
ロを予め格納するようにした。また、描画制御回路３１は、マイコン４０からの第３制御
指令信号としてのＣＭ−ＲＯ２ＶＲ制御コマンドに基づいて、ＲＯＭ３２に格納されたコ
マンドマクロ（例えば、コマンドマクロＭ１）をコマンドマクロ領域ＣＭに書き込むよう
にした。これにより、例えばマイコン４０からの一つのＣＭ−ＲＯ２ＶＲ制御コマンドに
より、画像Ｂ１を電気泳動表示パネル１０に表示させるための一連のコマンドを全てコマ
ンドマクロ領域ＣＭに書き込むことができる。従って、マイコン４０から描画制御回路３
１に出力するデータ量を大幅に減らすことができるため、マイコン４０への負荷を大幅に
低減することができる。
【０１１１】
（６）本実施形態によれば、描画制御回路３１は、第２制御指令信号としてのＣＭ−Ｗ
Ｒ制御コマンドに基づいて、所定のコマンドをコマンドマクロ領域ＣＭの任意の領域に書
き込むようにした。本例では、先に書き込まれている分割コマンドマクロＭ１１のＸＦ−
ＰＴ２ＶＲ（ＰＴ３）コマンドの後に、ＸＦ−ＰＴ２ＶＲ（ＰＴ４）コマンドを追加で書
き込むようにした。これにより、コマンドマクロの生成方法の自由度を向上させることが
できる。
【０１１２】
（７）本実施形態によれば、時間的に頻繁に変更されるコマンド（例えば、ＸＦ−ＰＴ
２ＶＲ（ＰＴ４）コマンド）を、コマンドマクロに含めず、図１９に示す生成方法のよう
に、分割コマンドマクロＭ１１，Ｍ１２の前後に追加するようにした。これにより、全て
のパターンの画像を表示させるためのコマンドマクロを全てＲＯＭ３２に格納する必要が
ないため、ＲＯＭ３２のメモリサイズの増大を抑制することができる。
【０１１３】
（他の実施形態）
なお、上記実施形態は、これを適宜変更した以下の態様にて実施することもできる。
・上記各実施形態では、コマンドマクロの修正を行うときに、コマンドマクロクリアを
行って作業メモリ３３のポインタをコマンドマクロ領域ＣＭの先頭アドレスに移動させて
から、ＣＭ−ＷＲ制御コマンドにおける書き込み開始オフセットを、上記先頭アドレスか
らの相対アドレスとして指定するようにした。これに限らず、前回のコマンドマクロの実
行後に作業メモリ３３のポインタが指すアドレスからの相対アドレスを書き込み開始オフ
セットとして指定して、コマンドマクロの修正を行うようにしてもよい。
【０１１４】
あるいは、ＣＭ−ＴＯＰ制御コマンドにより作業メモリ３３のポインタを作業メモリ３
３の先頭アドレスに移動させてから、作業メモリ３３における絶対アドレスを書き込み開
始オフセットとして指定して、コマンドマクロの修正を行うようにしてもよい。
【０１１５】
・上記第２実施形態では、時間の経過に応じて頻繁に変更されるデータ（画像データや
電圧データ）に対応するコマンドのＸＦ−ＰＴ２ＶＲ（ＰＴ４）コマンドやＸＦ−ＰＴ２
ＶＲ（ＰＴ５）コマンドを、マイコンＲＯＭ４１に格納するようにした。これに限らず、
それらのコマンドをＲＯＭ３２に予め格納するようにしてもよい。なお、この場合、その
ＲＯＭ３２に格納されるＸＦ−ＰＴ２ＶＲ（ＰＴ４）コマンドやＸＦ−ＰＴ２ＶＲ（ＰＴ
５）コマンドを、ＣＭ−ＲＯ２ＶＲコマンドによりコマンドマクロ領域ＣＭに書き込める
ようにすることが好ましい。これにより、通常、メモリサイズの小さいマイコンＲＯＭ４
１へのコマンドの格納を省略することが可能となるため、該マイコンＲＯＭ４１のデータ
量を減らすことができる。なお、全てのコマンドやコマンドマクロを予めＲＯＭ３２に格
納する場合には、マイコンＲＯＭ４１にコマンドを格納しなくてもよい。
【０１１６】
・上記第２実施形態におけるＣＭ−ＲＯ２ＶＲ制御コマンドにより、ＲＯＭ３２に予め
格納されているコマンドマクロやコマンドを、コマンドマクロ領域ＣＭの任意の領域に書
き込めるようにしてもよい。これにより、ＲＯＭ３２に格納されているコマンドマクロや
コマンドにより、コマンドマクロ領域ＣＭに書き込まれているコマンドマクロの一部のコ
マンドを修正したり、コマンドマクロにコマンドを追加したりすることができる。従って
、コマンドマクロの生成方法の自由度を向上させることができる。
【０１１７】
・上記第１実施形態における図６に示すコマンドマクロの生成方法では、１つのＣＭ−
ＷＲ制御コマンドに、そのライトデータとしてコマンドマクロＭ１を構成する全てのコマ
ンドが含まれるようにしたが、ＣＭ−ＷＲ制御コマンドのライトデータとして含まれるコ
マンドの数に特に制限はない。例えば、一つのＣＭ−ＷＲ制御コマンドのライトデータと
して２つずつのコマンドを含むようにしてもよい。この場合、コマンドマクロＭ１を生成
するためには、５つのＣＭ−ＷＲ制御コマンドをマイコン４０から描画制御回路３１に出
力すればよい。
【０１１８】
・上記第１実施形態では、コマンドマクロＭ１を構成する全てのコマンドをコマンドマ
クロ領域ＣＭに書き込んでから、そのコマンドマクロＭ１を実行するようにした。これに
限らず、例えば上記第２実施形態で示した分割コマンドマクロＭ１１のように、コマンド
マクロＭ１を構成する一部の複数のコマンドからなるコマンドマクロ毎に、コマンドマク
ロを実行するようにしてもよい。この場合、各コマンドマクロの最後に、ＬＡＳＴコマン
ドが追加されることが好ましい。
【０１１９】
・上記第２実施形態における図１９に示すコマンドマクロの生成方法では、分割コマン
ドマクロＭ１１，Ｍ１２及びＸＦ−ＰＴ２ＶＲ（ＰＴ４）コマンドによりコマンドマクロ
Ｍ１が生成されてから、そのコマンドマクロＭ１が実行されるようにした。これに限らず
、例えば分割コマンドマクロＭ１１がコマンドマクロ領域ＣＭに書き込まれて、その分割
コマンドマクロＭ１１が実行され、次に、ＸＦ−ＰＴ２ＶＲ（ＰＴ４）コマンドがコマン
ドマクロ領域ＣＭに書き込まれて、そのＸＦ−ＰＴ２ＶＲ（ＰＴ４）コマンドが実行され
るようにしてもよい。その後に、分割コマンドマクロＭ１２がコマンドマクロ領域ＣＭに
書き込まれて、その分割コマンドマクロＭ１２が実行されるようにしてもよい。この場合
、各分割コマンドマクロＭ１１，Ｍ１２及びＸＦ−ＰＴ２ＶＲ（ＰＴ４）コマンドの最後
に、ＬＡＳＴコマンドが追加されることが好ましい。
【０１２０】
・上記第１実施形態では、図１３に示すコマンドマクロの修正において、コマンドマク
ロＭ１内のＸＦ−ＰＴ２ＶＲ（ＰＴ４）を修正するようにしたが、修正されるコマンドは
これに制限されない。例えば、ＰＯＷコマンドやＤＲＶコマンドを修正するようにしても
よい。すなわち、先に書き込まれたコマンドマクロと次に書き込まれるコマンドマクロと
で異なるコマンドを書き換えればよい。
【０１２１】
・上記第２実施形態における図１９に示すコマンドマクロの生成方法では、コマンドマ
クロクリア後に、ＣＭ−ＲＯ２ＶＲ制御コマンドによるコマンドマクロのコピーから行う
ようにしたが、ＣＭ−ＷＲ制御コマンドによるコマンドの書き込みから行うようにしても
よい。
【０１２２】
・上記各実施形態では、ＣＭ−ＷＲ制御コマンドに応じてコマンドマクロ領域ＣＭにコ
マンドを書き込むときには、ＣＳ信号をインアクティブ（Ｌレベル）に遷移することによ
り、ライトデータの終端を指定した。これに限らず、例えばライトデータのサイズをＣＭ
−ＷＲ制御コマンドに含ませて、ライトデータの終端を指定するようにしてもよい。
【０１２３】
・上記各実施形態における画像データＤ１，Ｄ２及び画像Ｂ１，Ｂ２に特に制限されな
い。
・上記各実施形態におけるコマンドマクロ領域ＣＭに書き込まれるコマンドの順番に特
に制限はない。
【０１２４】
・上記各実施形態におけるコマンドマクロＭ１，Ｍ２を構成する複数のコマンドの種類
に特に制限はない。
・上記各実施形態では、ＲＯＭ３２に格納される背景ブロックＢＧ１〜ＢＧｎのサイズ
を画素数と同数のビット数で構成するようにしたが、背景ブロックＢＧ１〜ＢＧｎのサイ
ズは任意のビット数から構成するようにしてもよい。
【０１２５】
・上記各実施形態では、作業メモリ３３がＶＲＡＭ領域ＶＲとコマンドマクロ領域ＣＭ
とを備えるようにしたが、これに限らず、作業メモリ３３の代わりに、ＶＲＡＭ領域ＶＲ
を有する第１作業メモリとコマンドマクロ領域ＣＭを有する第２作業メモリとを別々に設
けるようにしてもよい。
【０１２６】
・上記各実施形態では、作業メモリ３３をＳＲＡＭにより構成するようにしたが、作業
メモリ３３は、書き換え可能なメモリであれば特に制限されない。例えば、作業メモリ３
３をＤＲＡＭにより構成するようにしてもよい。
【０１２７】
・上記各実施形態における作業メモリ３３におけるメモリ領域に特に制限はない。すな
わち、ＶＲＡＭ領域ＶＲやコマンドマクロ領域ＣＭの先頭アドレスは、任意のアドレスに
設定してもよい。
【０１２８】
・上記各実施形態における作業メモリ３３のコマンドマクロ領域ＣＭのサイズは特に制
限されない。
・上記各実施形態では、マイコン４０からの指令信号としてコマンドに具体化したが、
指令信号としてレジスタ設定やプログラムに具体化してもよい。
【０１２９】
・上記各実施形態におけるデータ線数、走査線数及び画素回路数に特に制限はない。
・上記各実施形態では、電気泳動表示パネル１０に配列される画素回路２０を、メモリ
回路を有する画素回路に具体化したが、これに限らず、例えば各画素回路をスイッチング
素子、画素電極、該画素電極に並列に接続された保持容量とからなる画素回路に変更して
もよい。
【０１３０】
・上記各実施形態では、電気光学表示装置として電気泳動表示装置１に具体化したが、
これに限らず、例えば液晶表示装置や有機ＥＬ表示装置に具体化してもよい。
・上記各実施形態では、処理能力の低いマイコンしか搭載できない腕時計に電気光学表
示装置を適用したが、搭載されるマイコンの処理能力に関わらず、あらゆる電子機器に上
記電気光学表示装置を適用することができる。
【図面の簡単な説明】
【０１３１】
【図１】電気泳動表示装置の全体構成を示すブロック図。
【図２】第１実施形態の制御コマンドを示すテーブル。
【図３】第１実施形態のコマンドを示すテーブル。
【図４】第１実施形態の作業メモリを示すブロック図。
【図５】第１実施形態のＲＯＭを示すブロック図。
【図６】第１実施形態のコマンドマクロの生成方法を示すフローチャート。
【図７】コマンドマクロを示すブロック図。
【図８】（ａ）、（ｂ）は、それぞれ電気泳動表示パネルに表示される画像を示す平面図。
【図９】（ａ）〜（ｆ）は、それぞれ背景ブロック及びパーツブロックに対応する画像を示す平面図。
【図１０】コマンドマクロの実行方法を示すフローチャート。
【図１１】（ａ）、（ｂ）は、それぞれ画像データの転送方法を示すブロック図。
【図１２】（ａ）、（ｂ）は、それぞれコマンドマクロ実行時のタイミングチャート。
【図１３】第１実施形態のコマンドマクロの修正方法を示すフローチャート。
【図１４】コマンドマクロを示すブロック図。
【図１５】第２実施形態のＲＯＭを示すブロック図。
【図１６】（ａ）、（ｂ）は、それぞれ分割コマンドマクロを示すブロック図。
【図１７】第２実施形態の制御コマンドを示すテーブル。
【図１８】第２実施形態のコマンドマクロの生成方法を示すフローチャート。
【図１９】第２実施形態のコマンドマクロの生成方法を示すフローチャート。
【図２０】従来の電気泳動表示パネルを示す断面図。
【図２１】従来の電気泳動表示装置の全体構成を示すブロック図。
【符号の説明】
【０１３２】
ＶＲ…作業領域としてのＶＲＡＭ領域、ＣＭ…指令情報領域としてのコマンドマクロ領
域、Ｍ１，Ｍ２…指令情報としてのコマンドマクロ、ＢＧ１〜ＢＧｎ…画像素材データと
しての背景ブロック、ＰＴ１〜ＰＴｍ…画像素材データとしてのパーツブロック、Ｂ１，
Ｂ２…画像、Ｄ…画像データ、Ｘ…データ線、Ｙ…走査線、１…電気光学表示装置として
の電気泳動表示装置、５…電気光学素子としての電気泳動粒子、１０…表示部としての電
気泳動表示パネル、１１…駆動回路を構成する走査線駆動回路、１２…駆動回路を構成す
るデータ線駆動回路、２０…画素回路、３０…描画装置を構成する描画回路、３１…描画
制御回路、３２…第１メモリとしてのＲＯＭ、３３…第１及び第２作業メモリとしての作
業メモリ、４０…描画装置を構成する制御回路としてのマイコン。
【図１】
2008249977.tif 000003
【図２】
2008249977.tif 000004
【図３】
2008249977.tif 000005
【図４】
2008249977.tif 000006
【図５】
2008249977.tif 000007
【図６】
2008249977.tif 000008
【図７】
2008249977.tif 000009
【図８】
2008249977.tif 000010
【図９】
2008249977.tif 000011
【図１０】
2008249977.tif 000012
【図１１】
2008249977.tif 000013
【図１２】
2008249977.tif 000014
【図１３】
2008249977.tif 000015
【図１４】
2008249977.tif 000016
【図１５】
2008249977.tif 000017
【図１６】
2008249977.tif 000018
【図１７】
2008249977.tif 000019
【図１８】
2008249977.tif 000020
【図１９】
2008249977.tif 000021
【図２０】
2008249977.tif 000022
【図２１】
2008249977.tif 000023